(57)【要約】【課題】  排水時の騒音を下げることを可能にする排水羽根を提供する。【解決手段】  中軸１１と、中軸１１の中段部位に径方向に沿い外に延伸して形成するインペラ１４と、インペラ１４と中軸１１の間に形成される複数の中空部１５と、インペラ１４の周縁に形成される壁１６と、インペラ１４の最上面に形成され、壁の径方向に沿い中軸まで延伸する複数の上羽根１４１と、インペラ１４の底面に形成される複数の下全羽根、下直線羽根及び下半羽根とを備え、下全羽根が壁の径方向に沿い中軸まで延伸して横部位を形成し、そして中軸に沿い下に延伸して所定の幅で縦部位を形成し、縦部位が横部位に垂直である。【選択図】    図１
0003109243.tif 000002
【実用新案登録請求の範囲】
【請求項１】
中軸と、
中軸の中段部位に径方向に沿い外に延伸して形成するインペラと、
インペラと中軸の間に形成される複数の中空部と、
インペラの周縁に形成される壁と、
インペラの最上面に形成され、壁の径方向に沿い中軸まで延伸する複数の上羽根と、
インペラの底面に形成される複数の下全羽根、下直線羽根及び下半羽根とを備え、
下全羽根が壁の径方向に沿い中軸まで延伸して横部位を形成し、そして中軸に沿い下に延伸して所定の幅で縦部位を形成し、縦部位が横部位に垂直であることを特徴とする排水羽根。
【請求項２】
インペラは、中央から外及び上へ延伸して漏斗状となることを特徴とする請求項1に記載の排水羽根。
【請求項３】
中軸の底部に、上が太く下が細い錐体を有することを特徴とする請求項１に記載の排水羽根。
【請求項４】
錐体は、最上端がインペラの胴部より高いことを特徴とする請求項３に記載の排水羽根。
【請求項５】
下直線羽根は、壁の径方向に沿い中軸まで延伸することを特徴とする請求項１に記載の排水羽根。
【請求項６】
下半羽根は、壁の径方向に沿い中空部まで延伸することを特徴とする請求項１に記載の排水羽根。
【請求項７】
壁の底縁外側は、角が倒立するように処理されることを特徴とする請求項１に記載の排水羽根。
【請求項８】
壁は、中段部位によりインペラの周縁に連接されることを特徴とする請求項１に記載の排水羽根。
【考案の詳細な説明】
【技術分野】
【０００１】
本考案は、排水装置に関し、静かに排水することを可能にする排水羽根に関するものである。
【背景技術】
【０００２】
図７に示すように、特許文献１に開示されている「空調設備用排水ポンプ」では、揚水インペラ９０は軸芯９１、軸芯９１の上に装着される盤体９２を有し、盤体は上に若干の羽根を有し、下に若干の全羽根９４、半羽根、小羽根を有し、全羽根９４はＬ型を呈し、盤体９２と軸芯９１下方の錐体に連接され、図例に示すように全羽根９４の下へ延びて形成する縦部位の外縁が傾斜状を呈することで、羽根の面積を増大させ、速く排水することが可能である。
【０００３】
しかし、前述の揚水インペラ９０構造を使用する場合、騒音が比較的大きいという問題がある。図８に示すように、その原因は、揚水インペラ９０が渦巻き室の中に装着され、全羽根９４が比較的に大きいため、比較的速い排水効果を得るが、排水の初期に排水量が多すぎるため騒音が発生し、また排水の初期に水と気泡が周知の揚水インペラ９０の下方の辺縁を経過し渦巻き室の出水口から排出される途中で、羽根に衝撃されると、比較的大きい騒音と振動が発生することにある。
【０００４】
【特許文献１】台湾実用新案公告第５６６，５２０号
【考案の開示】
【考案が解決しようとする課題】
【０００５】
本考案者は、上述の欠点に鑑みながら、絶えず実験を重ねた結果、本考案を完成させた。
本考案の主な目的は、排水時の騒音を下げることを可能にする排水羽根を提供することにある。
本考案のもう一つの目的は、振動を減少させることを可能にする排水羽根を提供することにある。
【課題を解決するための手段】
【０００６】
上記目的を達成するため、本考案に係る排水羽根は、中軸と、中軸の中段部位に径方向に沿い外に延伸して形成するインペラと、インペラと中軸の間に形成される複数の中空部と、インペラの周縁に形成される壁と、インペラの最上面に形成され、壁の径方向に沿い中軸まで延伸する複数の上羽根と、インペラの底面に形成される複数の下全羽根、下直線羽根及び下半羽根とを備え、下全羽根が壁の径方向に沿い中軸まで延伸して横部位を形成し、そして中軸に沿い下に延伸して所定の幅で縦部位を形成し、縦部位が横部位に垂直である。
【考案を実施するための最良の形態】
【０００７】
以下、本考案の実施例を図面に基づいて説明する。
図１は本考案の一実施例による排水羽根の立体図、図２は本考案の一実施例による排水羽根の平面図、図３は本考案の一実施例による排水羽根における底部の状態を示す立体図、図４は本考案の一実施例による排水羽根の裏側面を示す模式図、図５は本考案の一実施例による排水羽根の断面を示す模式図、図６は本考案の一実施例による排水羽根の使用状態を示す模式図である。
【０００８】
図１に示すように、本考案の一実施例による排水羽根１０は、主に中軸１１を有し、中軸１１の底部に上が太く下が細い錐体１２を有し、かつ中軸１１の中段部位に径方向に沿い外に延伸して形成するインペラ１４を有し、インペラ１４が中央から外、上へ延伸して漏斗状となり、錐体１２の最上端がインペラ１４の胴部より高く、インペラ１４と中軸１１の間に複数の中空部１５を有し、壁１６がその中段部位によりインペラ１４の周縁に形成され、インペラ１４の上下方が囲まれるような状態を呈し、壁１６の底縁外側は角が倒立するように処理され、インペラ１４の最上面に複数の上羽根１４１を有し、上羽根１４１が壁１６の径方向に沿い中軸１１まで延伸し、インペラ１４の底面に下全羽根１４２、下直線羽根１４６及び下半羽根１４７を複数有し、下全羽根１４２が壁１６の径方向に沿い中軸１１まで延伸して横部位１４３を形成し、そして中軸１１に沿い下に延伸して所定の幅で縦部位１４４を形成し、縦部位１４４が横部位１４３に垂直であり、下直線羽根１４６が壁１６の径方向に沿い中軸１１まで延伸し、下半羽根１４７が壁１６の径方向に沿い中空部１５まで延伸する。
【０００９】
図６に示すように、本実施例の排水羽根１０を使用する場合、排水装置７１中に装着して使用する。排水装置７１は渦巻き室７２を有し、本実施例の排水羽根１０が渦巻き室７２に収納され、排水装置７１の一側に渦巻き室７２と繋がる出水口７４を有する。排水の初期に本実施例の排水羽根１０が運転されると、壁１６により水はインペラ１４の下方に集中し、余分な水は出水口７４から排出される。続いて水位が上がってきてインペラ１４下方に水が溢れた後、水は渦を巻いて気泡が残らないように集中し、この時インペラ１４の下方に気泡が全然なく、水位がインペラ１４の上方まで上昇しつつあり、気泡が残留しないため、インペラ１４の上下方に共同排水という効果が生じ、また一定の水位（すなわち揚水平衡点）に達す場合、上下の排水が均衡を保つようになると、静かに排水する効果を得て振動を減少させることが可能である。さらに、下全羽根１４２の縦部位１４４は角度が比較的に直立し、斜度が周知のものより少ないため、本実施例の下全羽根１４２の縦部位が周知のものより小さく、排水の初期に騒音が比較的に発生しないことが判明した。また壁１６の底縁外側は角が倒立するように処理されたため、水の流れをよりいっそうスムーズにすることが可能である。
【００１０】
上述をまとめてみると、本実施例の長所は下記の通りである。
（１）騒音が比較的小さいこと。壁及び下全羽根の縦部位を設けることで排水時の騒音を減少させることが可能である。また壁の底縁外側に倒立する角を有することで水の流れをよりいっそうスムーズにし、騒音と気泡を減少させることが可能である。
（２）振動が比較的小さいこと。本実施例は残留気泡を大幅に減少させると同時に、羽根が気泡に作用する機会を減少させるものであるため、騒音を減少させるだけではなく、羽根が気泡に作用して生じた振動を大幅に減少させることが可能である。
【図面の簡単な説明】
【００１１】
【図１】本考案の一実施例による排水羽根の立体図である。
【図２】本考案の一実施例による排水羽根の平面図である。
【図３】本考案の一実施例による排水羽根の底部の状態を示す立体図である。
【図４】本考案の一実施例による排水羽根の裏側面を示す模式図である。
【図５】本考案の一実施例による排水羽根の断面を示す模式図である。
【図６】本考案の一実施例による排水羽根の使用状態を示す模式図である。
【図７】従来の排水装置における揚水インペラの底部の構造を示す模式図である。
【図８】従来の排水装置の内部構造を示す模式図である。
【符号の説明】
【００１２】
１０  排水羽根、１１  中軸、１２  錐体、１４  インペラ、１４１  上羽根、１４２  下全羽根、１４３  横部位、１４４  縦部位、１４６  下直線羽根、１４７  下半羽根、１５  中空部、１６  壁、７１  排水装置、７２  渦巻き室、７４  排水口
【図１】
0003109243.tif 000003
【図２】
0003109243.tif 000004
【図３】
0003109243.tif 000005
【図４】
0003109243.tif 000006
【図５】
0003109243.tif 000007
【図６】
0003109243.tif 000008
【図７】
0003109243.tif 000009
【図８】
0003109243.tif 000010